(57)【要約】      （修正有）【課題】送信、返信兼用で一体型の低コスト封筒を作り封筒の再利用と費用並びに資源の有効利用ができる低コストの封筒を提供する。【解決手段】１通の封筒で送信と返信ができる事であるが送信時には返信用郵便情報等が見えない様になっており返信時には返信用郵便情報等が見えて返信封筒になる事である。【選択図】図２
2004224434.tif 000002
【特許請求の範囲】
【請求項１】
１通の封筒で送信と返信ができる事を特徴とする封筒
【請求項２】
封筒の本体の表面又は裏面のどちらか一方又は両方に印刷する返信用郵便情報等を送信時に目で見えない方法で送信する事を特徴とし又返信用郵便情報等を目で見える様にする方法で１通の送信封筒が返信封筒になる事を特徴とする請求項１記載の封筒。
【発明の詳細な説明】
【０００１】
【発明が属する技術分野】
本発明は封筒、特に返信用封筒に容易に変更することのできる送信用の封筒に関する。
【０００２】
【従来の技術】
一般に郵送されたアンケート等、手紙の内容に対して返事が必要な場合返信用の宛名が印刷されている返信用の封筒あるいは返信用ハガキを入れる事が行なわれている。
【０００３】
【発明が解決しようとする課題】
しかしながら上記従来の方法において送信時に同封された返信用封筒又は返信用葉書が使用されず返信されなかった場合、使用できる返信用封筒又は返信用葉書が廃棄され無駄になるという問題があった。
【０００４】
本発明の目的は封筒の再利用と費用並びに資源の有効利用で低コストの封筒を提供する事である。
【０００５】
【課題を解決する手段】
上記目的を達成する為に本発明の封筒は、請求項１において１通の封筒で送信と返信ができる事によって資源の有効利用ができる事と環境に配慮した封筒になる事である。請求項２において封筒の本体の表面又は裏面のどちらか一方又は両方に印刷する返信用郵便情報等を送信時に目に見えない方法で送信する事を特徴とし又返信用郵便情報等を目で見える様にする方法で１通の送信封筒が返信封筒になる事によって従来の返信用封筒の様に手間がかからず返信しやすく返信率及び開封率が高くなる。
【発明の実施の形態】
図を参照して本発明の実施例を図面に基づき説明する。
図１はビニールの縦封筒の表面図であり通常封筒の表面には郵便番号・住所・氏名等を手書きするか又は宛名シールを貼るか、ラベリング又はインクジェット等で郵便情報等を表示し送信するものでありフラップ部分▲３▼の表面及び裏面のどちらか一方又は両方に印刷等をほどこし、透視できない様になっている封筒であり又横封筒のフラップ部分も縦封筒のフラップ部分と同様にする事ができるものである。
図２はビニールの縦封筒の裏面図でありあらかじめ図１に表示してある送信用封筒の裏面に返信用郵便情報等を印刷しておき品物を封入・封緘する。その封緘する時は印刷をほどこし透視できない様になっているフラップ部分▲３▼で返信用郵便情報等は目で見えない様になる封筒であり又横封筒のフラップ部分も縦封筒のフラップ部分と同様にする事ができるものである。
図３はビニールの縦封筒の封緘後の裏面図であり封入後図２で表示してある返信用郵便情報等と印刷等をほどこし透視できない様にしてあるフラップ部分▲３▼で封緘した側から目で見えない様にした封筒であり又横封筒と同様にできるものである。送信時には従来の送信用封筒と同じ方法すなわち封筒本体にフラップ部分を貼着して封緘するものである。
図４は返信用郵便情報等を図３で封緘したフラップ部分▲３▼を開封し返信するために従来の封緘方法ではない方法すなわちフラップ部分▲３▼を封筒の中側に折込んでビニールテープ等又は粘着糊等を塗布して止める返信用封筒である。
図５と図６はビニールの縦封筒の裏面図であり図５はフラップ部分▲３▼図６は封筒本体▲２▼に１ヶ所以上の再剥離できる糊等を左右両端若しくは指定位置まで塗布しその上にリケイ紙又はセパレーター等をのせそのどちらか一方又は両方に透視できない様に印刷をほどこし返信用郵便情報部分▲５▼▲６▼▲７▼等をかくして送信する事又はリケイ紙及びセパレーター等のかわりに透視できない粘着テープ若しくは粘着シール等で返信用郵便情報部分▲５▼▲６▼▲７▼等上に貼着しておおいかくして送信する封筒であり横封筒のフラップおよび封筒本体でも縦封筒と同様にできるものである。
図５と図６の実施例の他に同図で実施例の説明をする。
ビニールの縦封筒の裏面において封筒のフラップ部分▲３▼および封筒本体部分▲１０▼に１ヶ所以上の再剥離できる糊等を左右両端まで塗布しその上に上と下に分割できるスリット入りのリケイ紙等又はセパレーター等をのせ送信時はフラップ部分▲３▼において上下部分の上部分のリケイ紙又は、セパレーター等をはがし封筒本体部分▲１０▼Ａにおいては上下部分の下部分のリケイ紙又はセパレーター等をはがし封緘して送信する封筒である。図７は返信用郵便情報等をおおいかくしたフラップ部分▲３▼で開封し返信するために従来の封緘方法でない方法、すなわちフラップ部分▲３▼を封筒の中側に折込んでビニールテープ等又は粘着糊等を塗布して止める返信用封筒であり横封筒も縦封筒と同様なことができるものである。
【発明の効果】
（イ）簡単に返信用封筒にできる。
（ロ）紙封筒よりコストが削減できる。
（ハ）バーコード割引対象になる。
（ニ）水等による破損がない。
本発明はこれらの効果をもたらすものである。
【図面の簡単な説明】
【図１】本発明の実施の形態によるビニールの縦封筒の表面図である。
【図２】本発明の実施の形態によるビニールの縦封筒の裏面図である。
【図３】本発明の実施の形態によるビニールの縦封筒の封緘後の裏面図である。
【図４】本発明の実施の形態によるビニールの縦封筒の返信時の裏面図である。
【図５】本発明の実施の形態によるビニールの縦封筒のフラップ部分の裏面図である。
【図６】本発明の実施の形態によるビニールの縦封筒の本体部分の裏面図である
【図７】本発明の実施の形態によるビニールの縦封筒の返信時の裏面図である。
【符号の説明】
▲１▼                      縦封筒表面図
▲２▼                      縦封筒裏面図
▲３▼                      フラップ
▲４▼                      料金別納若しくは後納印
▲５▼                      局承認受取人払印
▲６▼                      局承認バーコード
▲７▼                      郵便番号
▲８▼                      受取人住所・氏名
▲９▼                      差出人及び受取人住所・氏名
▲１０▼１０Ａ          リケイ紙若しくはセパレーター
▲１１▼                スリット
▲１２▼１２Ａ・１２Ｂ  粘着糊
▲１３▼                縦封筒緘後の裏面図
▲１４▼                縦封筒返信時の裏面図
【図１】
2004224434.tif 000003
【図２】
2004224434.tif 000004
【図３】
2004224434.tif 000005
【図４】
2004224434.tif 000006
【図５】
2004224434.tif 000007
【図６】
2004224434.tif 000008
【図７】
2004224434.tif 000009